(57)【要約】      （修正有）【課題】無駄を削減して低いコストで機能更新と部分部品更新ができるテレビジョン受像機を提供する。【解決手段】機能更新とよく関係ある部品（リモコン・キーボード制御部、チューナ制御部、デマルチプレックス部、音声再生部、映像再生部）は処理部１１に設けられ、ディスプレイは表示部２１に設けられ、他入出力部品（リモコン・キーボード部、チューナ部、復調部、復号部、スピーカ）は受信部１に設けられる。処理部と受信部と表示部を物理的に分離して接続する。処理部と受信部と表示部の一部のみを置き換えて、テレビジョン受像機の更新が実現できるので、更新コストが低くなる。【選択図】図１
0003226625.tif 000002
【実用新案登録請求の範囲】
【請求項１】
リ モ コ ン ・ キ ー ボ ー ド部 、 チ ュ ー ナ 部 、 復 調 部 、 復 号 部 ( C A ) 、  ス ピ ー カーは受信部に設けられ、リモコン・キーボード制御部、チューナ制御部、デマル チプレックス部、音声再生部、映像再生部は処理部に設けられ、デ ィ ス プ レ イは表示部に設けられ、処理部と受信部と表示部が分離 されることを特徴とするテレビジョン受像機。
【請求項２】
受信部に受信部の処理接続部が設けられ、処理部に処理部の接続部が設けられ、受信部と処理部はケ ー ブ ル な し 独 自 ポ ー ト の 直 結 方 式 で 接 続 され、リ モ コ ン ・ キ ー ボ ー ド 制 御 信 号 、 チ ュ ー ナ制 御 信 号 、 Ｔ Ｓ データ信号、音声信号、映像信号は全て受信部の処理接続部と処理部の接続部を経由して受信部と処理部の間で転送されることを特徴とする請求項１に記載のテレビジョン受像機。
【請求項３】
受信部に受信部の表示接続部が設けられ、表示部に表示部の接続部が設けられ、受信部と表示部はケーブル方式で接続され、具 体 的 なケーブル規格を 問 わ ず 、映像信号は受信部の表示接続部と表示部の接続部を経由して受信部から表示部へ転送されることを特徴とする請求項１又は２に記載のテレビジョン受像機。
【考案の詳細な説明】
【技術分野】
【０００１】
本考案はテレビジョン受像機に係り、低いコストでテレビジョン受像機の機能更新と部品更新ができるテレビジョン受像機に関する。
【背景技術】
【０００２】
市場には一体型テレビジョン受像機は多いである、一体型テレビジョン受像機であれば、 機能更新の場合、テレビジョン受像機全体を置き換えるので、コストがかかる。
コストを下げるため、特許文献１では、「処理部と入出力部が分離されるテレビジョン受像機」を提案する（下記特許文献１を参照）。該提案は処理部のみを更新する場合、更新コストを下げるのは可能ですが、一部入出力部品のみが更新必要な場合、入出力部全体を更新することになるので、この場合、無駄更新コストが発生する。
日本では、４K８K正式放送が２０１８年１２月から開始した。又、既に４Kをサポートしている既存ディスプレイは多いので、将来、既存ディスプレイを利用してチューナのみの更新要求は多くなる。又、リビングルームと合わせて、スピーカーのみ或いはディスプレイのみを更新する要求も多くなる。これら場合、一体型テレビジョン受像機でも、特許文献１の提案でも、無駄な更新コストが発生する。
【先行技術文献】
【特許文献】
【０００３】
【特許文献１】実用新案登録第３２１０４１１号
【０００４】
「処理部と入出力部が分離されるテレビジョン受像機」を提案する。該提案は、全て入出力部品を入出力部に設けられ、機能処理の部品は処理部に設けられ、処理部と入出力部を物理的に分けて、分離式テレビジョン受像機を提案する。処理部のみを更新する場合は更新コストが低いですが、一部入出力部品を更新する必要な場合、入出力部全体を更新することになるので、無駄更新コストが発生する。
【考案の概要】
【考案が解決しようとする課題】
【０００５】
一体型テレビジョン受像機であれば、機能更新をする場合、テレビジョン受像機全体を置き換えるので無駄コストがかかる。表示部と本体が分離されるテレビジョン受像機であれば、本体だけを置き換えて、機能更新ができるが、本体に入出力部も含まれるので、機能更新のみでも、本体全体を置き換えるので、無駄コストが発生される。全て入出力部品は入出力部に設けられ、入出力部と処理部が分離されるテレビジョン受像機であれば、処理部だけを置き換えて、機能更新ができて、無駄機能更新コストを避けるが、一部入出力部品が更新必要な場合、ディスプレイも含む入出力部全体を置き換えることになるので、この場合、無駄コストが発生される。
各テレビジョン受像機の更新要求が発生する場合、低いコストで更新できるテレビジョン受像機を提供するのは本考案の課題です。具体的に説明すると、機能更新のみの場合、一部のみ入出力部品更新の場合、低いコストで更新できるテレビジョン受像機を提供するのは本考案の課題です。
【課題を解決するための手段】
【０００６】
機能のみを更新する場合、処理部が分離されると、更新コストが低くなる。一部のみ入出力部品を更新する場合、値段が高く且つある程度独立な出力部品ディスプレイと他入出力部品を分離すると、一部のみ入出力部品更新場合のコストが低くなる。又、テレビジョン受像機を更新する場合の操作便利性も考えて、処理部とディスプレイと他入出力部品を物理的に分離するのは上記課題を解決するための手段です。下記、詳細説明する。
【０００７】
機 能 更 新 と よ く 関 係 あ る部 品 は 処 理 部 1 1 に 設 け ら れ る 。 具 体 的 に は 、リモ コ ン ・ キ ー ボ ー ド 制 御 部 1 2 、 チ ュ ー ナ 制 御 部 1 3 、 デ マ ル チ プ レ ッ ク ス 部 1 6 、 映 像 再 生 部1 4 、 音 声 再 生 部 1 5 は 処 理 部 1 1 に 設 け ら れ る 。
ディスプレイ２３は表示部１１に設けられる。
他入出力部品は受信部 1 に 設 け ら れる 。具 体 的 に は 、 リ モ コ ン ・ キ ー ボ ー ド部 2 、 チ ュ ー ナ 部 3、 復 調 部 ５ 、 復 号 部 ( C A ) ６ 、ス ピ ー カ ー ４ は 受信 部 1 に 設 け ら れる。
復 号 Ｔ Ｓ デ ー タ を そ の ま ま 分 離 の 処 理 部 1 1 に 転 送 す る こ と は 著 作 権 違 反 で あ る の で 、 受信部  1 に 独 自 暗 号 化 部 ７ が 設 け ら れ 、処 理 部 1 1 に 独 自 復 号 化 部 1 7 が 設 け ら れ て 復 号 す る 。
上記に説明されるように、処理部と受信部と表示部が分離されるテレビジョン受像機は本考案の手段です。
【０００８】
受信 部 1 に 受信部の処理接続部 9が 設 け ら れ 、 処 理 部 1 1 に 処 理 部 の 接 続 部 1 8 が 設 け ら れ 、ケ ー ブ ル な し 独 自 ポ ー ト の 直 結 方 式 で 接 続 され、リモコン・キーボード制御信号、チューナ制御信号 、 T S デ ー タ 信 号 、 映 像 信 号 、 音 声 信 号 は 全 て 受信部 の接 続 部 9 と 処 理 部 の 接 続 部 1 8 を経 由 し て 受信 部 1 と 処 理 部 1 1 の 間 で 転 送 さ れ る 特 徴 と す る テ レ ビ ジ ョ ン 受 像 機 も本考案の手段です。こ の 構 造 で 、 受信部１のみ又は処 理 部 1 1のみが更新されば、テ レ ビ ジ ョ ン 受 像 機全体の更新ができる。
【０００９】
受信部１に受信部の表示接続部８が設けられ、表示部２１に表示部の接続部２２が設けられ、受信部と表示部はケーブル方式で接続され、具 体 的 なケーブル規格を 問 わ ず 、映像信号は受信部の表示接続部８と表示部の接続部２２を経由して受信部１から表示部２１へ転送されることを特徴とするテレビジョン受像機も本考案の手段です。こ の 構 造 で 、 受信部1 と 表示部２１ は H D M I （ 登 録 商 標 、 下 記 は 重 複 説 明 し ま せ ん ） 、 D i s p l a y p o r t 、 M H L な ど ケ ー ブ ル で 接 続で き る。この構造で、受信部１のみ或いは表示部２１のみが更新されば、テ レ ビ ジ ョ ン 受 像 機全体の更新ができる。
【考案の効果】
【００１０】
現在、技術の進歩が速いので、テレビジョン受像機のソフトウェアバージョンアップとハードウェア更新がよく発生する。本考案は受信部と処理部と表示部を分離して、機能変更とよく関係がある部品は処理部に設けられ、値段が高く且つある程度独立な出力部品ディスプレイは表示部に設けられ、他入出力部品は受信部に設けられる。
本考案のテレビジョン受像機によれば、機能更新のみの場合、処理部だけを置き換えて、受信部と表示部を流用して、低いコストでテレビジョン受像機の機能更新ができて、 新機能テレビジョン受像機を利用できる。
又、４Ｋ８Ｋ正式放送が既に開始した。４Ｋをサポートしている既存ディスプレイは多いですが、４Ｋチューナは少ないです。将来チューナを更新する必要な場合は多くなります。本考案のテレビジョン受像機によれば、この場合、処理部と受信部のみを置き換えて、値段高い表示部のディスプレイを流用して、更新コストが低くなります。
又、リビングルームと合わせて、スピーカーのみ或いはディスプレイのみを置き換える必要な場合もよくある、本考案のテレビジョン受像機によれば、この場合、受信部のみ或いは表示部のみを置き換える方法があるので、更新コストが低くなります。
本考案は経済効果だけでなく、社会的な効果もある。コスト削減の経済効果があるのは勿 論ですが、電子ゴミも減少されて、環境保護など社会的な効果もある。更に、処理部と受信部と表示部を分離することにより、処理部と受信部と表示部は別々会社に製造されても可能であるの で 、   テ レ ビ ジ ョ ン 受 像 機 の 製 造 分 野 で 、 分 業 化 と 専 門 化 が 実 現 で き 、 製 造 効 率 の 向 上 も可能になる。
【図面の簡単な説明】
【００１１】
【図１】本考案に係る処理部と受信部と表示部が分離されるテレビジョン受像機のブロック回路 図である。
【図２】実 施 例 に 係 る ケ ー ブ ル な し 直 結 方 式 で 受信部 の処理接続部 と 処 理 部の 接 続 部 を 接続して、 H D M Iケ ー ブ ル で受信部の表示接 続 部 と表示部の接続部を 接 続 す る 場 合の詳細ブロック回路図である。
【考案を実施するための形態】
【００１２】
以下、本考案の実施形態を図１によって具体的に説明する。 テレビジョン受像機の構成と処理すべき各信号の処理流れで説明する。 
【００１３】
構 成 を 説 明 す る 。 
リ モ コ ン ・ キ ー ボ ー ド部 2 、 チ ュ ー ナ 部 3 、 復 調 部 ５ 、 復 号 部 ( C A ) ６ 、 ス ピ ー カ ー ４ は 受信部 1 に 設 け ら れ 、受信 部 の 処理接 続 部 9 と 接 続 さ れ る 。   又 、 デ ー タ 転 送 は 暗 号 化 が 必 要 で あ る の で 、 復 号 部 ( C A ) ６ に 復 元 さ れ た T S を 独 自 暗 号化 す る 独 自 暗 号 化 部 ７ も 受信 部 1 に 設 け ら れ 、 受信 部の処理 接 続 部 9 と 接 続 さ れ る 。   リ モ コン ・ キ ー ボ ー ド 制 御 部 1 2 、 チ ュ ー ナ 制 御 部 1 3 、 映 像 再 生 部 1 4 、 音 声 再 生 部 1 5 は 処 理 部 1 1 に 設 け ら れ 、 処 理 部 の 接 続 部 1 8 と 接 続 さ れ る 。   独 自 復 号 化 部 1 7 も 処 理 部 1 1 に設 け ら れ 、 処 理 部 の 接 続 部 1 8 と 接 続 さ れ る 。 デ マ ル チ プ レ ッ ク ス 部 1 6 は 独 自 復 号 化 部 1 7 と 接 続 さ れ  、 復 号 さ れ た T S を 処 理 す る 。   受信 部 1 と 処 理 部 1 1 の 双 方 向 デ ー タ 交 換 は 全 部受信部の処理接 続 部 9 と 処 理 部の 接 続 部 1 8 を 経 由 す る 。
【００１４】
又、受信部１に受信部の表示接続部８も設 け ら れ、受信部の処理接続部９と接続して映像信号を受ける。表示部２１に表示部の接続部２２とディスプレイ２３が設 け ら れ、映像信号は受信部の表示接続部８から表示部の接続部２２へ転送される。
【００１５】
テレビジョン受像機が処理すべき各信号の処理流れで説明する。 
各 信 号 は 通 常 の テ レ ビ ジ ョ ン 受 像 機 と 同 様 に 、 リ モ コ ン ・ キ ー ボ ー ド 制 御 信 号 （ C O M 規 格） 、 チ ュ ー ナ制 御 信 号   ( I 2 C 規 格 ) 、 T S デ ー タ 信 号 （ I 2 S 規 格 或 い は S D I O 規 格 ) 、 映 像 信号 ( L V D S 規 格 、 H D M I な ど規 格  ) 、 音 声 信 号 ( S P D I F 規 格) で あ る 。 
【００１６】
リ モ コ ン ・ キ ー ボ ー ド 制 御 の 入 力 信 号 を 処 理 す る 場 合 に は 、 ユ ー ザ 操 作 の 入 力 信 号 は C O M 信 号 で リ モ コ ン ・ キ ー ボ ー ド部 2 に 受 け ら れ 、 受信 部 の 処理接 続 部 9 に 渡 さ れ る 。    受信 部の 接 続 部 9 は 転 送 信 号 規 格 で 信 号 を 処 理 部 の 接 続 部 1 8 に 転 送 す る 。   処 理 部 の 接 続 部 1 8 は C O M 信 号 を リ モ コ ン ・ キ ー ボ ー ド 制 御 部 1 2 に 渡 す 。 リ モ コ ン ・ キ ー ボ ー ド 制 御 部 1 2 は C O M 信 号 を 処理して、ユーザ操作の対応機能を実現する。 
リモコン・キーボード制御の出力信号を処理する場合には、リモコン・キーボード制御部1 2 か ら C O M 信 号 を 処 理 部 の 接 続 部 1 8 に 渡 す 。    処 理 部 の 接 続 部 1 8 は 転 送 信 号 規 格 で 信 号 を 受信 部 の処理 接 続 部 9 に 転 送 す る 。    受信部 の処理 接 続 部 9 は C O M 信 号 を リ モ コ ン ・ キ ー ボ ー ド 部 2 に 出力する。 
【００１７】
チ ュ ー ナ制 御 信 号 を 出 力 す る 場 合 に は 、 チ ュ ー ナ 制 御 部 1 3 か ら I 2 C 信 号 を 処 理 部 の 接 続 部 1 8 に 渡 す 。    処 理 部 の 接 続 部 1 8 は 転 送 信 号 規 格 で 信 号 を 受信部の処理接 続 部 9 に 転 送 す る 。    受信部の処理接 続 部 9 は I 2 C 信 号 を チ ュ ー ナ 部 ３に 出 力 する。 
【００１８】
T S デ ー タ を デ マ ル チ プ レ ッ ク ス す る 場 合 に は 、 チ ュ ー ナ 部 3 が 放 送 デ ー タ を 受 け て 、 復 調 部 ５ に 渡 す 。 復 調 部 ５ は 復 調 さ れ た デ ー タ を 復 号 部 ( C A ) ６ に 渡 す 。 復 号 部 ( C A ) ６ は 復 号 さ れ た T S を 独 自 暗 号 化 部 ７ に 渡 す 。 独 自 暗 号 化 部 ７ は 独 自 暗 号 化 処 理 を す る 。 独 自 暗 号 化 T S デ ー タ が 受信部の処理 接 続 部 9 に I 2 S 或 い は S D I O 信 号 で 渡 さ れ る 。 受信部の処理 接 続 部 9 は 転 送 信 号 規 格 で 信 号 を 処 理 部の 接 続 部 1 8 に 転 送 す る 。 処 理 部 の 接 続 部 18 は I 2 S 或 い は S D I O 信 号 で 独 自 暗 号 化 T S デ ー タ を 独 自 復 号 化 部 1 7 に 渡 す 。 独 自 復 号 化 部 1 7 は 復 号 し て 、 復 号 T S デ ー タ を デ マ ル チ プ レ ッ ク ス 部 1 6 に 渡 す 。 デ マ ル チ プ レ ッ ク ス 部 1 6 は デ マ ル チ プ レ ッ ク ス 処 理して圧 縮 デ ジ タ ル 映 像 デ ー タ と 圧 縮 デ ジ タ ル 音 声 デ ー タ を 分 離 す る 。 圧 縮 デ ジ タ ル 映 像 デ ー タ は 映 像 再 生 部 1 4 に 渡 さ れ て 、 圧 縮 デ ジ タ ル 音 声 デ ー タ は 音 声 再 生 部 1 5 に 渡 さ れ る 。
【００１９】
音 声 信 号 を 出 力 す る 場 合 に は 、 音 声 再 生 部 1 5 は 圧 縮 デ ジ タ ル 音 声 デ ー タ か ら 再 生 で き る 音 声 信 号 に 変 換 す る 。 音 声 再 生 部 1 5 は 音 声 信 号 を ベ ー ス 信 号 規 格 で 処 理 部 側 接 続 部 1 8 に 渡 す。ベ ー ス 信 号 規 格 は S P D I Fで あ る 。 処 理 部の 接 続 部 1 8 は 転送 信 号 規 格 で 信 号 を 受信 部の処理接 続 部 9 に 転 送 す る 。最 後 音 声 信 号 が ベ ー ス 信 号 規 格 で ス ピ ー カ ー ４ に 出 力 さ れ る 。
【００２０】
映 像 信 号 を 出 力 す る 場 合 に は 、 映 像 再 生 部 1 4 は 圧 縮 デ ジ タ ル 映 像 デ ー タ か ら 再 生 で き る 映 像 信 号 に 変 換 す る 。 映 像 再 生 部 1 4 は 映 像 信 号 を ベ ー ス 信 号 規 格 で 処 理 部 の 接 続 部 1 8 に 渡 す。 映 像 信 号のベ ー ス 信 号 規 格 は LVDSで あ る 。 処 理 部の接 続 部 1 8 は ベ ー ス 信 号 規 格 で 映像信 号 を 受信 部の処理接 続 部 9 に 転 送 す る 。受信部の処理接続部９はベ ー ス 信 号 規 格 で 映像信 号 を受信部の表示接続部８に転送する。受信部の表示接続部８は映像信号をベ ー ス 信 号 規 格から表示信号規格に変換する。表示信号規格はH D M I 、 D i s p l a y p o r t 、 M H L な ど規格である。受信部の表示接続部８は映像信号を表示信号規格で表示部の接続部２２に転送する。最 後 映 像 信 号 が表示信 号 規 格 で デ ィ ス プ レ イ ２３ に 出 力 さ れ る 。
【００２１】
以 上 の 説 明 の よ う に 、 処理部１１と受信 部 1 と 表示 部 ２ 1 を 分 離 す る 本 考 案 は テ レ ビ ジ ョ ン 受 像 機 が 処 理すべき各信号をうまく処理できて、通常のテレビジョン受像機と同様機能を実現できる 上、機能変更のコスト削減のメリットがある。
【実施例】
【００２２】
以下、実施形態の補充説明として、本考案の実施例を図２を用いて詳細に説明する 。
図 ２ はケ ー ブ ル な し 直 結 方 式 で 受信部 の処理接続部９ と 処 理 部の 接 続 部１８ を 接続して、 H D M Iケ ー ブ ル で受信部の表示接 続 部８ と表示部の接続部２２を 接 続 す る 場 合の詳細ブロック回路図である。
【００２３】
受信部 の 処理接 続 部 9 に C O M イ ン タ フ ェ ー ス ４ 1 、 I 2 C イ ン タ フ ェ ー ス ４ 2 、 I 2 S / S D I O イ ン タ フ ェ ー ス ４ 3 、S P D I F イ ン タ フ ェ ー ス ４４、  L V D S イ ン タ フ ェ ー ス ４５が 設 け ら れ 、 処 理 部の 接 続 部 1 8に も C O M イ ン タ フ ェ ー ス 3 1 、 I 2 C イ ン タ フ ェ ー ス 3 2 、 I 2 S / S D I O イ ン タ フ ェ ー ス 3 3 、S P D I F イ ン タ フ ェ ー ス 3 ４ 、 L V D S イ ンタ フ ェ ー ス ３５が 設 け ら れ る 。受信部の処理 接 続 部 9 と 処 理 部 の 接 続 部 1 8 の 信 号 転 送 規 格 は 直 接 C O M 、 I 2 C 、 I2 S / S D I O 、 S P D I F 、L V D Sで あ る 。
【００２４】
受信部の表示接続部８に独自変換回路５２とH D M Iイ ン タ フ ェ ー ス５１が設 け ら れ、表示部の接続部２２にH D M Iイ ン タ フ ェ ー ス６１が設 け ら れる。独自変換回路５２は受信部の処理接続部９から転送された映像信号をL V D S規格からＨＤＭＩ規格へ変換する。受信部の表示接続部８はＨＤＭＩ規格で映像信号を表示部の接続部２２に転送する。
以 上 の 説 明 で 、 具 体 的 に ケ ー ブ ル な し 直 結 方 式 で 受信 部の処理 接 続 部 9 と 処 理 部の 接 続 部 1 8 を 接 続して、H D M Iケ ー ブ ル で受信部の表示接 続 部８ と表示部の接続部２２を 接 続 す る方式で、実 施 形 態 を 具 体 的 に 実 施 で き る 。
【産業上の利用可能性】
【００２５】
本考案はテレビジョン受像機に係るが、機能変更関係部分と機能変更関係ない部分を分離する方式及び部品を分類して分離する方式は他の産業分野でも活用できる。例えば、パソコン、家庭電気製品などについても、機能変更関係部分と機能変更関係ない部分を分離すれば、低いコストで製品全体の機 
能 更 新 が で き る、又部品を分類して分離すれば、一部のみの部品を更新するのは可能になるので 、 経 済 効 果 と 環 境 保 護 の 効 果 が 著 し い で あ る 。
【符号の説明】
【００２６】
1 … テ レ ビ ジ ョ ン 受 像 機 の 受信 部
2 … リ モ コ ン ・ キ ー ボ ー ド部
3 … チ ュ ー ナ 部
4 … ス ピ ー カ ー
5 … 復 調 部
6 … 復 号 部 ( C A )
7 … 独 自 暗 号 化 部
8 … 受信部の表示接続部
9 … 受信 部 の処理 接 続 部
1 1 … テ レ ビ ジ ョ ン 受 像 機 の 処 理 部
1 2 … リ モ コ ン ・ キ ー ボ ー ド 制 御 部
1 3 … チ ュ ー ナ 制 御 部
1 4 … 映 像 再 生 部
1 5 … 音 声 再 生 部
1 6 … デ マ ル チ プ レ ッ ク ス 部
1 7 … 独 自 復 号 化 部 
1 8 … 処 理 部の 接 続 部
2 1 … テ レ ビ ジ ョ ン 受 像 機 の表示部
2 2 … 表示部の接続部
2 3 … デ ィ ス プ レ イ
3 1 … 処 理 部 の 接 続 部 の C O M イ ン タ フ ェ ー ス
3 2 … 処 理 部 の 接 続 部 の I 2 C イ ン タ フ ェ ー ス
3 3 … 処 理 部 の 接 続 部 の I 2 S / S D I O イ ン タ フ ェ ー ス
3 4 … 処 理 部 の 接 続 部 の S P D I F イ ン タ フ ェ ー ス
3 5 … 処 理 部 の 接 続 部 の L V D S イ ン タ フ ェ ー ス
4 1 … 受信 部 の処理 接 続 部 の C O M イ ン タ フ ェ ー ス
4 2 … 受信 部 の 処理接続 部 の I 2 C イ ン タ フ ェ ー ス
4 3 … 受信 部 の 処理接 続 部 の I 2 S / S D I O イ ン タ フ ェ ー ス
4 4 … 受信部 の 処理接 続 部 の S P D I F イ ン タ フ ェ ー ス
4 5 … 受信部の 処理接 続 部 の L V D S イ ン タ フ ェ ー ス
5 1 … 受信 部 の表示 接 続 部 の H D M I イ ン タ フ ェ ー ス
5 2 … 受信 部 の表示接続 部 の 独自変換回路
6 1 … 表示部 の接 続 部 の H D M I イ ン タ フ ェ ー ス
【図１】
0003226625.tif 000003
【図２】
0003226625.tif 000004